(57)【要約】【課題】ベビーカーのシートの安定性を向上し得るようにするとともに、三つ折り動作を容易に行うことが出きるようにすること。【解決手段】前脚及び後脚を連結する左右の連結バーを互いにつなぐステー２４によって、ベビーカー本体に吊設されたシート２６の座面部２６ｂを支持するようにしたハンモック型ベビーカーにおいて、上記座面部２６ｂの後部を、手押し杆１５を構成する左右のパイプ１８に装着された吊りベルト３０により支持するようにした。【選択図】  図１
2004210186.tif 000002
【特許請求の範囲】
【請求項１】
前脚及び後脚を連結する左右の連結バーを互いにつなぐステーによって、ベビーカー本体に吊設されたシートの座面部を支持するようにしたハンモック型ベビーカーにおいて、上記座面部の後部を、手押し杆を構成する左右のパイプに装着された吊りベルトにより支持するようにしたことを特徴とする、ハンモック型ベビーカー。
【請求項２】
上記吊りベルトは、上記座面部の後部側下面と手押し杆を構成する左右のパイプ間に張設されていることを特徴とする、請求項１記載のハンモック型ベビーカー。
【発明の詳細な説明】
【０００１】
【発明の属する技術分野】
本発明は、乳幼児用のシートをベビーカー本体から吊設したハンモック型ベビーカーに係り、特にそのシートの座面部を前脚及び後脚を連結する左右の連結バーを互いにつなぐステーによって支持するようにしたハンモック型ベビーカーに関する。
【０００２】
【従来の技術】
図３は、乳幼児用のシートをベビーカー本体から吊設したハンモック型ベビーカーの概略構成を示す一部切り欠き斜視図であり、前輪１１を有する左右一対の前脚１２、後輪１３を有する左右一対の後脚１４、ほぼ逆Ｕ字状に屈曲された手押杆１５、及び左右一対のアームレスト１６によりベビーカー本体が構成されている。そして上記左右のアームレスト１６、１６間には着脱可能なガードアーム１７が掛け渡されている。上記手押杆１５を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の中間部にはく字状に屈曲されたブラッケット１９の一端が枢着されている。そして、そのブラッケット１９の中間位置に前記パイプ１８の先端がそれぞれ枢着されており、ベビーカーの展開状態に於いて、上記ブラッケット１９の他端に形成された係合部に上記パイプ１８の下端部に摺動可能に装着されたロック部材２０が係合し、その展開状態を維持するようにしてある。
【０００３】
一方、上記左右の前脚１２は足乗せを有する前側連結バー２１によって連結されており、左右の後脚１４は後側連結バー２２によって連結されている。さらに、各前脚１２の中間部には連結バー２３の前端が枢着され、その連結バー２３の後端が上記ブラッケット１９とともにパイプ１８の先端部に枢着され、また左右の連結バー２３の中間部が左右方向に延びるステー２４によって連結されている。
【０００４】
しかして、パイプ１８の下端に設けられているロック部材２０をブラッケット１９の上端に設けられている係止部に係合することによって、ベビーカーが使用可能な展開状態に保持される。一方、手押杆１５に設けられている操作装置２５を操作することにより上記ロック部材２０とブラッケット１９との係合が離脱されると、アームレスト１６及び連結バー２３が前記パイプ１８に対して各枢着点を中心として上方に揺動可能となり、前脚１２と後脚１４とがほぼ平行状態に揺動され、携帯に便利なように折り畳むことができる。
【０００５】
さらに、手押杆１５、前側連結バー２１、後側連結バー２２、及びステー２４は、２つの同一垂直面内において各中間部の２カ所がジョイント２１ａ、２２ａ、２４ａにより折り畳み可能としてある。したがって、上述のように前脚１２と後脚１４を平行状態に折り畳んだ後左右のパイプ１８を前方に移動させると、上記手押杆１５、前側連結バー２１、後側連結バー２２、及びステー２４の両端部が上記各ジョイント２１ａ、２２ａ、２４ａにより前方に折り曲げられ、ベビーカーを三つ折り状態に折り畳むことができる。
【０００６】
ところで、左右のパイプ１８及び連結バー２３に幼児用のシート２６が取り付けられている。すなわち、幼児用のシート２６の背部２６ａが左右のパイプ１８に装着され、座面部２６ｂの両側部が左右の連結バー２３に取り付けられ、所謂ハンモック状に吊設されている。そして、前記ステー２４によって上記座面部が支持されている。
【０００７】
ところが、このようなハンモック型ベビーカーにおいては、座面部２６ｂ内に板状の心材が内装されているので、座面部２６ｂが左右方向に移動することはなく安定しているけれども、この座面部２６ｂは左右方向に延びる１本のステー２４で支持されているだけであるので、座面部２６ｂが上記ステー２４を中心として上下に揺動して前後位置で極めて不安定である等の問題がある。そこで、上記ステー２４より後方側において左右の連結バー２３間に支持ベルト２７を張設し、その支持ベルト２７と上記ステー２４とにより上記座面部２６ｂを支持し、座面部２６ｂが左右方向に延びる１本のステー２４を中心として揺動することを防止するようにしたものが提案されている。
【０００８】
【発明が解決しようとする課題】
しかしながら、座面部を上記ステー２４と左右の連結バー２３間に張設された支持ベルト２７とにより支持するようにしたものにおいては、ベビーカー本体を三つ折り状態にする場合に、図４に示すように、上記ステー２４や前側連結バー２１によりシート２６が後方側に押し出される方向に移動するが、その際上記支持ベルト２７が上記三つ折り操作に対し抵抗となり、三つ折り時に高い操作力を必要とする等の問題がある。そこで、上記支持ベルトを長めに設定すると、ベビーカーの使用時における座面部の支持が十分でなく、座面部の後部において沈み込みが大きくなる等の問題がある。
【０００９】
本発明はこのような点に鑑み、シートの安定性を向上し得るようにするとともに、ベビーカー本体の三つ折り状態への操作を容易に行うことができるようにしたベビーカーを得ることを目的とする。
【００１０】
【課題を解決するための手段】
請求項１に係る発明は、前脚及び後脚を連結する左右の連結バーを互いにつなぐステーによって、ベビーカー本体に吊設されたシートの座面部を支持するようにしたハンモック型ベビーカーにおいて、上記座面部の後部を、手押し杆を構成する左右のパイプに装着された吊りベルトにより支持するようにしたことを特徴とする。
【００１１】
請求項２に係る発明は、請求項１に係る発明において、上記吊りベルトが、上記座面部の後部側下面と手押し杆を構成する左右のパイプ間に張設されていることを特徴とする。
【００１２】
【発明の実施の形態】
以下、図１及び図２を参照して本発明の実施の形態について説明する。
【００１３】
図１は、本発明のベビーカーの要部のみを示す部分図であり、各前脚１２の中間部には連結バー２３の前端が枢着され、その連結バー２３の後端が後脚１４に枢着されたブラッケット１９とともにパイプ１８の先端部に枢着されており、上記左右の連結バー２３の中間部が左右方向に延びるステー２４によって連結されている。上記ステー２４にはその中間部２カ所にジョイント２４ａ、２４ａが設けられており、そのジョイント２４ａ及び２４ａで折り畳み可能としてある。
【００１４】
これらの構成は従来のものと同一であるが、本発明においては、座面部２６ｂの後部近傍における下面に２本の吊りベルト３０、３０下端部が縫い付けられており、各吊りベルト３０、３０の上端部が左右のパイプ１８に固着されている。すなわち、座面部２６ｂの後部側下面と手押し杆１５を構成する左右のパイプ１８間に吊りベルト３０が張設されている。なお、図中符号３１は幌取付部である。
【００１５】
しかして、ベビーカー本体を展開した使用時においては、左右の連結バー２３に吊設されるとともに左右方向に延びるステー２４上に載置された座面部２６ｂが、その後部においては上記左右の吊りベルト３０、３０により吊り下げられており、座面部２６ｂが上下方向に揺動することが防止される。
【００１６】
一方、ベビーカー本体を二面折りにした場合には、左右の連結バー２３がパイプ１８との枢着点を中心として上方に揺動するので、図２に示すように、上記吊りベルト３０の座面部２６ｂへの取り付け位置とパイプ１８への取り付け位置間の距離が短くなり、結果として上記吊りベルト３０が弛むことになる。したがって、その後三つ折り状態とする場合に上記吊りベルト３０が上記三つ折り動作に対して抵抗となることがなく、三つ折り操作を容易に行うことができる。
【００１７】
【発明の効果】
本発明は、上述のように構成したので、ハンモック型のシートの座面部が上記吊りベルトによりその後部が支持されており、座面部がステーを中心として揺動したり前後に移動することが防止され、座面部の安定性が向上される。しかも、ベビーカー本体を三つ折り状態にする場合には、上記吊りベルトが上記三つ折り操作に対して抵抗となることがなく、上記三つ折り操作を容易に行うことができる。
【図面の簡単な説明】
【図１】本発明のベビーカーの要部を示すシートの後方から見た斜視図。
【図２】本発明ベビーカーを三つ折り状態にした時の吊りベルトの状態を示す図。
【図３】従来のベビーカーの概略構成を示す一部切り欠き斜視図。
【図４】従来のベビーカーの三つ折り時における支持ベルトの状態説明図。
【符号の説明】
１２  前脚
１４  後脚
２３  連結バー
２４  ステー
２６  シート
２６ａ  背部
２６ｂ  座面部
２７  支持ベルト
３０  吊りベルト
【図１】
2004210186.tif 000003
【図２】
2004210186.tif 000004
【図３】
2004210186.tif 000005
【図４】
2004210186.tif 000006